【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
ズームレンズとフォーカスレンズとを有する光学系による像を合焦させる前記フォーカスレンズの合焦位置を検出する検出部と、
前記検出部により前記合焦位置を検出する、前記光学系の像面における位置を選択する選択部と、を備え、
前記検出部は、前記光学系の像面において前記光学系の光軸を含む第１領域以外の第２領域に含まれる位置が前記選択部により選択されている場合に、前記ズームレンズが移動すると、前記第１領域に含まれる位置に合焦する前記合焦位置を検出する撮像装置。
【請求項２】
請求項１に記載の撮像装置において、
前記検出部は、前記第２領域に含まれる位置が選択されている場合に前記ズームレンズが移動すると、前記合焦位置を検出する位置を前記第１領域に含まれる位置に設定して前記合焦位置を検出する撮像装置。
【請求項３】
請求項１または２に記載の撮像装置において、
前記検出部は、前記ズームレンズが停止すると、前記合焦位置を検出する位置を前記第２領域に含まれる位置に設定して前記合焦位置を検出する撮像装置。
【請求項４】
請求項１または２に記載の撮像装置において、
前記検出部は、前記ズームレンズが停止すると、前記ズームレンズが移動する前に前記第２領域に含まれる位置にいた被写体に近い被写体に合焦する前記合焦位置を検出する撮像装置。
【請求項５】
請求項１から４のいずれか１項に記載の撮像装置において、
前記検出部は、前記第１領域に含まれる位置が前記選択部により選択されている場合、前記第１領域に含まれる位置に合焦する前記合焦位置を検出する撮像装置。
【請求項６】
請求項１から５のいずれか１項に記載の撮像装置において、
前記検出部は、前記光学系の像面の位置が、前記選択部により選択された位置における前記光学系の焦点深度の３倍の範囲内となる像面の位置に合焦する前記合焦位置を検出する撮像装置。
【請求項７】
請求項１から６のいずれか１項に記載の撮像装置において、
前記検出部は、前記選択部により選択された位置との前記光学系の像面のずれ量が、前記光学系の焦点深度の３倍の範囲内となる像面の位置に合焦する前記合焦位置を検出する撮像装置。
【請求項８】
請求項１から７のいずれか１項に記載の撮像装置において、
前記検出部は、前記光学系の像面において前記光学系の光軸の位置に合焦する前記合焦位置を検出する撮像装置。
【請求項９】
請求項１から８のいずれか１項に記載の撮像装置において、
前記検出部は、前記選択部により選択された前記第２領域に含まれる位置に近い前記第１領域に含まれる位置に合焦する前記合焦位置を検出する撮像装置。
【請求項１０】
請求項１から９のいずれか１項に記載の撮像装置において、
前記検出部は、前記フォーカスレンズの位置と前記合焦位置とのずれ量を検出する撮像装置。
【請求項１１】
請求項１から１０のいずれか１項に記載の撮像装置において、
前記光学系による像を撮像して信号を出力する撮像部を備え、
前記検出部は前記撮像部から出力された信号に基づいて、前記光学系による像が前記撮像部に合焦する合焦位置を検出する撮像装置。
【請求項１２】
請求項１から１１のいずれか１項に記載の撮像装置において、
前記検出部で検出された前記合焦位置に前記フォーカスレンズの位置を制御する制御部を備える撮像装置。
【請求項１３】
請求項１２に記載の撮像装置において、
前記制御部は、前記検出部により前記合焦位置が検出されない場合、前記ズームレンズと前記フォーカスレンズとの位置関係に基づいて、前記フォーカスレンズの位置を制御する撮像装置。
【請求項１４】
請求項１２または１３に記載の撮像装置において、
前記制御部は、前記検出部により前記合焦位置が検出されない場合、前記ズームレンズの移動量に基づいて、前記フォーカスレンズの位置を制御する撮像装置。
【手続補正２】
【補正対象書類名】明細書
【補正対象項目名】０００７
【補正方法】変更
【補正の内容】
【０００７】
［１］本発明に係る撮像装置は、ズームレンズとフォーカスレンズとを有する光学系による像を合焦させる前記フォーカスレンズの合焦位置を検出する検出部と、前記検出部により前記合焦位置を検出する、前記光学系の像面における位置を選択する選択部と、を備え、前記検出部は、前記光学系の像面において前記光学系の光軸を含む第１領域以外の第２領域に含まれる位置が前記選択部により選択されている場合に、前記ズームレンズが移動すると、前記第１領域に含まれる位置に合焦する前記合焦位置を検出する。
［２］上記撮像装置に係る発明において、前記検出部は、前記第２領域に含まれる位置が選択されている場合に前記ズームレンズが移動すると、前記合焦位置を検出する位置を前記第１領域に含まれる位置に設定して前記合焦位置を検出することができる。
［３］上記撮像装置に係る発明において、前記検出部は、前記ズームレンズが停止すると、前記合焦位置を検出する位置を前記第２領域に含まれる位置に設定して前記合焦位置を検出することができる。
［４］上記撮像装置に係る発明において、前記検出部は、前記ズームレンズが停止すると、前記ズームレンズが移動する前に前記第２領域に含まれる位置にいた被写体に近い被写体に合焦する前記合焦位置を検出することができる。
［５］上記撮像装置に係る発明において、前記検出部は、前記第１領域に含まれる位置が前記選択部により選択されている場合、前記第１領域に含まれる位置に合焦する前記合焦位置を検出することができる。
［６］上記撮像装置に係る発明において、前記検出部は、前記光学系の像面の位置が、前記選択部により選択された位置における前記光学系の焦点深度の３倍の範囲内となる像面の位置に合焦する前記合焦位置を検出することができる。
［７］上記撮像装置に係る発明において、前記検出部は、前記選択部により選択された位置との前記光学系の像面のずれ量が、前記光学系の焦点深度の３倍の範囲内となる像面の位置に合焦する前記合焦位置を検出することができる。
［８］上記撮像装置に係る発明において、前記検出部は、前記光学系の像面において前記光学系の光軸の位置に合焦する前記合焦位置を検出することができる。
［９］上記撮像装置に係る発明において、前記検出部は、前記選択部により選択された前記第２領域に含まれる位置に近い前記第１領域に含まれる位置に合焦する前記合焦位置を検出することができる。
［１０］上記撮像装置に係る発明において、前記検出部は、前記フォーカスレンズの位置と前記合焦位置とのずれ量を検出することができる。
［１１］上記撮像装置に係る発明において、前記光学系による像を撮像して信号を出力する撮像部を備え、前記検出部は前記撮像部から出力された信号に基づいて、前記光学系による像が前記撮像部に合焦する合焦位置を検出することができる。
［１２］上記撮像装置に係る発明において、前記検出部で検出された前記合焦位置に前記フォーカスレンズの位置を制御する制御部を備えることができる。
［１３］上記撮像装置に係る発明において、前記制御部は、前記検出部により前記合焦位置が検出されない場合、前記ズームレンズと前記フォーカスレンズとの位置関係に基づいて、前記フォーカスレンズの位置を制御することができる。
［１４］上記撮像装置に係る発明において、前記制御部は、前記検出部により前記合焦位置が検出されない場合、前記ズームレンズの移動量に基づいて、前記フォーカスレンズの位置を制御することができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】